(57)【特許請求の範囲】
【請求項１】
前部腰部領域および後部腰部領域を有する吸収製品であって、
流体透過性トップシート、
トップシートに付着される流体不透過性バックシート、
トップシートとバックシートとの間に配置される吸収性コア、
前部および後部腰部領域を組み合せるためのテープ閉鎖システムを備え、該テープ閉鎖システムはテープタブファスナーデバイスおよび着地部材を具備するところの１次機械的固定手段、および
製品の選択された領域を着用者の身体に付着するための身体接着剤を具備する２次固定手段
を具備する吸収製品。
【請求項２】
該テープ閉鎖システムが接着剤閉鎖手段を具備する請求項１に記載の吸収製品。
【請求項３】
該テープ閉鎖システムが機械的係合手段を具備する請求項１に記載の吸収製品。
【請求項４】
パンツスタイルの吸収製品であって、
流体透過性トップシート、
トップシートに付着される流体不透過性バックシート、
トップシートとバックシートとの間に配置される吸収性コア、
製品と着用者との間の摩擦力を与えることにより機械的固定を提供するように着用者の腰部を取り囲むための弾性機能を具備する１次機械的固定手段、および
製品の選択された領域を着用者の身体に付着するための身体接着剤を具備する２次固定手段
を具備する吸収製品。
【請求項５】
該身体接着剤が製品の身体配向表面に適用される請求項１または４に記載の吸収製品。
【請求項６】
該身体接着剤が製品の表面積の５０％未満を覆う請求項５に記載の吸収製品。
【請求項７】
該身体接着剤が製品の表面積の４０％未満を覆う請求項５に記載の吸収製品。
【請求項８】
該身体接着剤が製品の表面積の３３％未満を覆う請求項５に記載の吸収製品。
【請求項９】
該身体接着剤が線、ドット、ストライプ、螺旋または溶融ブロースプレーで作られるパターンで適用される請求項１または４に記載の吸収製品。
【請求項１０】
該身体接着剤が着用者の動きの少ないゾーンに配置されるように適用される請求項１または４に記載の吸収製品。
【請求項１１】
該身体接着剤が使用後の容易な使い捨てを可能とするように適用される請求項１または４に記載の吸収製品。
【請求項１２】
該トップシートが便が通過することを可能とするための開口および身体接着剤を含む領域を具備する請求項１または４に記載の吸収製品。
【請求項１３】
身体接着剤が
温度２０℃で液体である５１重量％から９９．５重量％の可塑化化合物または可塑化組成物、
可塑化化合物または可塑化組成物において可溶性または膨潤性である０．５重量％から２０重量％のポリマー性化合物またはポリマー性組成物
を含む材料の組成物である請求項１または４に記載の吸収製品。
【発明の詳細な説明】
発明の一般的な分野
本発明は、おむつ、成人失禁製品、女性用保護製品などのような衛生吸収製品に関する。
背景／先行技術
吸収製品は当該技術において周知である。それらの製品は、典型的に吸収性コアを有し、それは、身体滲出物が製品により捕獲されるように固定手段により使用のあいだ着用者の身体に当接して保持または配置される。
その様な固定手段は製品と一体化し得る。それにより、固定手段は前方および後方腰部領域に対するアタッチメント手段でありえ、それらは互いに対して機械的係合手段または接着剤テープ手段によるようにして固定され、次いで、着用者の腰部を取り囲む。このデザインの更なる修正において、動きのあいだの製品のずれのリスクをなくして着用者にとっての快適さを高めるために弾性要素がデザインされ得る。加えて更なるデザインの変形においては、前方および後方腰部は恒久的に固定され得、一方、製品の着用および使用の間の固定は、例えば、下着から周知の製品の上方腰部領域においての様に、弾性化のみにより達成される。
また、「パンティファスナー接着剤」としばしば呼ばれる接着手段によるようにして着用者の下着に吸収性パッドを固着する適用が普及している。
その様な固定手段はまた、「パッド／パンツ」システムにより例示されているように吸収体に対して外的でもありえ、それにより例えば、１９９６年８月１日に出願されたＥＰ出願番号第９６１１２４１３．８号において記載されるような吸収体を固定する特別にデザインされた弾性パンツが着用される。
上記固着手段はすべて着用者の皮膚と製品とのあいだの摩擦力に頼り、それゆえ、また「機械的固定手段」とも称され得る。この原理に対する代わりは、例えば、「身体接着剤」としばしば称される着用者の皮膚に対する吸収製品の局所接着剤アタッチメントの使用に関する１９９６年１２月１２日に出願されたＥＰ出願番号第９６１２０７３８．８号またはＧＢ−Ａ−２，２８４，７６７において記載された。これらの便益は、特に、女性用衛生用途および滲出物の強い負荷のない他の用途について記載されてきた。
しかしながら、記載された変形の全ては、いまだ更なる改善についての必要を有している。例えば、摩擦力により身体に則して維持される製品はいまだ着用者の身体開口についての位置の維持（ｒｅｇｉｓｔｒｙ）をゆるめ得るものであり、着用者にとっての貧弱な性能および／または不快さとなり得る。
局所的接着剤は製品の配置を改善するが、しかしながら、特に尿および／または便についての使用のあいだに負荷されるときのような製品の重量が増加する場合において、それらの製品は、着用者の皮膚のあまりに強い緊張のリスクなしに適所に保持され得ない。
機械的固定手段に基づくすべての先行技術のシステムは、さらに、着用者に対する製品の適用の領域における改善のための機会を有する。乳幼児についてもその様であり、ハンディキャップを負った、すなわち障害のある失禁成人についてもその様であり、両方の場合において、親または介護者のようなヘルパーは、着用者の下に吸収製品を与えなければならず、一般的に、困難で繊細な取り扱いを必要とする。また、使用者が製品を彼自身／彼女自身に適用するときは、特に、成人失禁パッドのような比較的大きな寸法を有する製品について、または女性用衛生製品についてのような正確な位置決定について、容易な適用のための必要がいまだ存在する。
発明の目的
従って、本発明の目的は、２つの特徴の組合わせの協同作用を利用するために、２次局所的接着剤固定手段を他の１次固着手段と組み合わせることにより向上した適合および密封を吸収製品に与えることである。
本発明の更なる目的は、使用のあいだの持続した適合を向上させることである。
本発明の加えての更なる目的は、製品の適用のあいだのこの組み合わせの便益を利用することであり、それにより局所接着剤を有する製品の特別の領域が着用者に容易に適用され得、一方、１次ファスナー手段がそのとき容易かつ正確に適用され得る。
本発明の加えての更なる目的は、使い捨てのための改善された手段を有するその様な吸収製品を提供することであり、それにより局所的接着剤固定手段はさらに使用後の汚れた製品の清潔で衛生的な使い捨てを容易にし得る。
概要
本発明は、２重固定システムを有する成人失禁製品、乳幼児おむつまたは女性用衛生パッドのような吸収製品に関する。その中で、１次固定手段は、吸収製品の最初は分離されている前方および後方腰部領域を組み合わせるように接着剤テープタイプでありえ、またはフック／ループシステムでありえ、またはパンツスタイルの製品におけるような吸収部材と一体的である伸縮性のベルトシステムでありえ、ストレッチパンツのような特別に設計された固定用パンツのような外的固定手段であり得る。２次固定手段は身体接着剤タイプのものであり、それにより着用者の身体に対して吸収製品の選択された領域を取り外し可能に付着させる。
【図面の簡単な説明】
図１は、３つの詳細図で吸収製品を例示して示す。
図２は、成人失禁パッドのような製品に対する身体接着剤の例示された適用を示す。
詳細な説明
ここで用いられるものとして、「吸収製品」と言う術語は、身体滲出物を吸収し、含有するデバイスを称し、特に、身体から排出されるさまざまの滲出物を吸収し、含有するために着用者の身体に当接または近接して配置されるデバイスを称する。「使い捨て」と言う術語は、ここでは、洗濯されるかまたはさもなければ吸収製品として修復されるかまたは再使用されることを意図されない吸収製品を記載するために用いられる（すなわち、それらは１回の使用の後に廃棄され、好ましくは、リサイクルされ、堆肥化され、またはさもなければ環境に適合する様式で処理されることが意図される）。ネットパンツと吸収性パッドシステムのような一体的でない製品の場合においては、少なくとも吸収性パッドは使い捨てである必要がある。
吸収製品は、一般的に少なくとも、
−吸収性コア（下位構造から成り立ち得る）、
−流体透過性トップシート、
−バックシートまたは伸縮性のある形態のような、例えば着用者の被服に対して身体滲出物を密封するためのシャーシ要素、
−使用の間に製品を支持する、すなわち、滲出物放出身体開口についてその位置の保持を確立し、維持するための固定手段
を含む。
図１ａ、ｂおよびｃにおいて、本発明は吸収製品を記載することにより例示され、それは、乳児用おむつまたは成人失禁パッドであり得るであろう。
製品は、ほとんどの例において主に水性である流体を吸収し、含有するために設計された吸収性コア１０を含む。吸収性コア１０は、一般的に圧縮可能であり、変形可能であり、主に水性の液体を吸収し、保持することが可能であるいずれの吸収手段でもあり得る。適切な吸収性材料の例には、細砕された木材パルプ、しわ形成されたセルロースの詰め物、溶融ブローポリマー、化学的に硬化され、修飾され、または架橋されたセルロース性繊維、ティッシュラップおよびティッシュラミネートを含むティッシュ、吸収性発泡体、吸収性スポンジ、超吸収性ポリマー、吸収性ゲル化材料、またはいずれか等価の材料または材料の組合わせが含まれる。吸収性パッドの形状および構造もまた変化し得る（例えば、吸収性パッドは、変化する厚さゾーン、親水性勾配、超吸収性勾配、またはより低い平均密度およびより低い平均坪量獲得ゾーンを有し得るし、または１以上の層または構造を具備し得る）。
使い捨て製品産業において用いられる吸収性パッドとしての使用にとって典型的な吸収構造は、１９８６年９月９日にワイズマン（Ｗｅｉｓｍａｎ）らに発行された「高密度吸収構造（Ｈｉｇｈ−Ｄｅｎｓｉｔｙ  Ａｂｓｏｒｂｅｎｔ  Ｓｔｒｕｃｔｕｒｅｓ）」と言う表題の米国特許第４，６１０，６７８号、１９８７年６月１６日にワイズマンらに発行された「２重層のコアを有する吸収製品（Ａｂｓｏｒｂｅｎｔ  Ａｒｔｉｃｌｅｓ  Ｗｉｔｈ  Ｄｕａｌ−Ｌａｙｅｒｅｄ  Ｃｏｒｅｓ）」と言う表題の米国特許第４，６７３，４０２号、１９８９年１２月１９日にアングスタット（Ａｎｇｓｔａｄｔ）に発行された「ダスチング層を有する吸収性コア（Ａｂｓｏｒｂｅｎｔ  Ｃｏｒｅ  Ｈａｖｉｎｇ  Ａ  Ｄｕｓｔｉｎｇ  Ｌａｙｅｒ）」と言う表題の米国特許第４，８８８，２３１号、１９８９年５月３０日にアレマニー（Ａｌｅｍａｎｙ）らに発行された「低密度および低坪量獲得ゾーンを有する高密度吸収部材（Ｈｉｇｈ  Ｄｅｎｓｉｔｙ  Ａｂｓｏｒｂｅｎｔ  Ｍｅｍｂｅｒｓ  Ｈａｖｉｎｇ  Ｌｏｗｅｒ  Ｄｅｎｓｉｔｙ  ａｎｄ  Ｌｏｗｅｒ  Ｂａｓｉｓ  Ｗｅｉｇｈｔ  Ａｃｑｕｉｓｉｔｉｏｎ  Ｚｏｎｅｓ）」と言う表題の米国特許第４，８３４，７３５号において記載されている。他の吸収性パッドの設計は、欧州特許出願第９３３０５１５０．０号および第９３３０９６１４．１号において記載されている。
米国特許第４，４１１，６６０号は、吸収製品において、上方層が第１の層より遅くゲル化するような２層の異なるタイプの吸収材料を開示する。
欧州特許明細書ＥＰ−Ｂ−０４０１１８９は、単一層における２つの吸収性ゲル化材料の混合物としてよりもむしろ分離した層における２つの異なるタイプの吸収性ゲル化材料を用いることにより達成され得ることを開示する。
本発明において有用なヒドロゲル形成吸収性ポリマーは、多量の液体を吸収することが可能なさまざまの実質的に水に不溶性であるが水に膨潤性のポリマーを含む。その様なポリマー材料はまた、「ヒドロコロイド」、または「超吸収性」材料とも共通に称される。それらのヒドロゲル形成吸収性ポリマーは好ましくは、多数のスルホン酸、より典型的にはカルボキシ基のようなアニオン性官能基を有する。ここでの使用にとって適切なポリマーの例には、重合可能な不飽和の酸含有モノマーから調製されるものが含まれる。従って、その様なモノマーには、少なくとも１つの炭素間のオレフィン性２重結合を含むオレフィン性の不飽和の酸および無水物が含まれる。特に、それらのモノマーは、オレフィン性の不飽和カルボン酸および酸無水物、オレフィン性不飽和スルホン酸およびそれらの混合物から選択され得る。
上記の様に、ヒドロゲル形成吸収性ポリマーは、好ましくはわずかに網状構造に架橋している。網状構造架橋は、ポリマーを実質的に水に不溶性にする働きをし、部分的には、前駆体粒子および得られる巨視構造の吸収能力および抽出可能なポリマー含有量特性を決定する。ポリマーを網状構造に架橋するための方法および典型的な網状構造架橋剤は、本明細書においてすでに参照された米国特許第４，０７６，６６３号およびＤＥ−Ａ−４０２０７８０（ダーメン（Ｄａｈｍｅｎ））において極めて詳細に記載されている。
いろいろな最終使用状態または異なる大きさの製品について吸収製品を比較することが可能であるために、「最終貯蔵能力」が適切な尺度であることが見出された。
例えば、乳児は典型的な使用群を表すが、しかし、この群の中でさえ、尿の負荷の量、負荷の頻度、尿の組成は、一方で小さな乳児（新生児）から幼児まで、のみならず、例えばさまざまの個人の幼児のあいだでさえ広く変化し得る。
もう１つの使用者の群は、いまだある種の形態の失禁の障害のあるより大きな児童であり得る。
また、失禁成人もまた、軽度の失禁から重度の失禁までの範囲を取ると一般的に称される広い範囲の負荷状態でそのような製品を使用し得る。
従って、その様な要求に対処することが可能である吸収製品はその様な量の尿を吸い取る能力を有するべきである。それらの量の流体は、あるとしても、ほんのわずかの流体しか着用者の皮膚に向かって製品の表面上に残されない様に、体液またはそれらの少なくとも水性部分を最終的に貯蔵し得る材料により吸収されねばならない。「最終的な」と言う術語は、１つの側面において、長い着用時間において吸収製品における状態を称し、他の側面において、その環境で平衡化されるときその「最終的な」能力に達する吸収材料を称する。このことは、長い着用時間の後の現実の使用時の状態の下で、その様な吸収製品において存在し得るかまたは、このことはまた、純粋な材料または材料複合物のための試験手順においても存在し得る。考察下のプロセスの多くが漸近的動力学的挙動を有するとき、当業者は、実際の能力が、例えば装置の測定精度に対する漸近的エンドポイントに十分に近い値に達したときに達成される「最終的な」能力を容易に考察するであろう。
吸収製品は、最終的に流体を貯蔵するように主として設計されている材料および流体の獲得および／または分配のような他の機能を充足するように主として設計されている材料を含みうるがしかし、ある種の最終的な貯蔵能力をいまだ有し得るので、本発明による適切なコア材料はそのような機能を人工的に分離する意図無く記載される。それにもかかわらず、最終貯蔵能力は、全吸収性コア、その領域、吸収構造、さらに下位構造、前述のいずれかにおいて用いられる材料についてもまた決定され得る。
製品の寸法を変化させることについて上述で検討された様に、当業者は、他の意図された使用者の群についての適切な最終貯蔵能力を容易に採用し得るであろう。例えば、重度の失禁者についての使用を意図する成人失禁製品は、周知のティーバッグ遠心能力試験に供されたとき約３１ｍｌ／ｇの吸収能力を有する９ｇの超吸収性材料を含み得るものであり、約４ｍｌ／ｇの能力を有する９７ｇの通常のセルロース性エアフェルトを含み得るものであり、従って、約６６７ｍｌの全最終貯蔵能力となる。他の例は、軽度の失禁者のための製品に関する。例えば、アテンド・ミニ（ＡＴＴＥＮＤＳ  ＭＩＮＩ）は約７０ｍｌの最終貯蔵能力を有し、アテンド・ミニ・プラス（ＡＴＴＥＮＤＳ  ＭＩＮＩ  ＰＬＵＳ）は９０ｍｌであり、アテンド・ノーマル（ＡＴＴＥＮＤＳ  ＮＯＲＭＡＬ）は約１６７ｍｌであり、それらのすべての製品は、ヨーロッパのさまざまの国でプロクター＆ギャンブルにより販売されている。
再び図１を参照すると、前記吸収性コアは、縦エッジ１２、１３に隣接する腰部領域１４、１５およびそれらの領域１４、１５に接続するクロッチ領域１１を有し、そのクロッチ領域は最小幅「Ａ」を有する。この幅「Ａ」は、着用者の寸法に対してのクロッチ領域における流体操縦性の要求の最適化の結果であり得る。図１ａにおいて例示されている様に、腰部領域１４、１５における幅は、クロッチ領域１１の幅の約２倍である。
吸収性コア１０は、通常の液体不透過性であるような流体不透過性バックシート１６と接続されている。従って、バックシート１６は、製織または不織材料、ポリエチレンまたはポリプロピレンの熱可塑性フィルムのようなポリマー性フィルム、またはフィルムでコートされた不織材料のような複合材料を含み得る。しばしば、バックシートは、インディアナ州テール・ホート（Ｔｅｒｒｅ  Ｈａｕｔｅ）のトレデガー（Ｔｒｅｄｅｇａｒ）・インダストリーズ，Ｉｎｃ．により製造されている名称ＲＲ８２２０（ブロウンフィルム）およびＲＲ５４７５（キャストフィルム）の下で入手可能なブロウンまたはキャストＰＥフィルムのような約０．０１２ｍｍ（０．５ミル）から約０．０５１ｍｍ（２．０ミル）の厚さを有する熱可塑性フィルムである。その様なバックシート１６は、好ましくは、より布らしい外観を与えるようにエンボス加工および／またはつや消し仕上げされる。
更に、バックシート１６は、いまだ液体がバックシート１６を貫通することを防止する一方で、蒸気が通過することを許容し得る。
バックシート１６は吸収性コア１０の寸法を超える幅および長さ寸法の両方を有し得るものであり、それにより周辺のエッジを形成する。縦方向においてコアの外側に伸びるバックシート１６の領域は、エンドフラップと称される。
バックシート１６の比較的広い横方向のエッジ１７、１８は、吸収性コア１０を少なくとも部分的に覆うように内側に折りたたまれる。自由な縦側エッジ１９、２０は、弾力性のバンドまたはストライプのような伸縮性の形態２１、２２を含む。吸収製品が図１において示されるように平坦に引き伸ばされるとき、それらの弾性的な形態は、使用のあいだにより良い身体との一致のために収縮を可能とするように伸張される。
横方向エッジ１７、１８は、今度は、折られていない部分を有する管状形態２３、２４として存在し、それにより伸ばされた弾性体は、内側に折られた横方向エッジ１７、１８のエッジ２５、２６と２７、２８のそれぞれとその末端で接続する。
トップシート２９は、着用者に向かって配向する内側に折られた横方向のエッジ１７、１８に付着する。トップシート２９は従順であり、柔軟な感触を有する。さらに、トップシート２９は、尿の液体のような流体がその厚さを通して容易に貫通することを許容して液体透過性である。適切なトップシートは、多孔性発泡体、網状発泡体、開孔されたプラスチックフィルム、または天然繊維（例えば、木材または綿繊維）、合成繊維（例えば、ポリエステルまたはポリプロピレン繊維）、または天然繊維および合成繊維の組み合わせの製織または不織ウエブのような広範な材料から製造され得る。トップシート２９を製造するために用いられ得る多数の製造技術が存在する。例えば、トップシート２９は、紡糸結合され、カーディングされ、湿式載置され、溶融ブローされ、水力交絡され、上記の組合わせなどである繊維の不織ウエブであり得る。しばしば用いられるトップシートは布帛技術の当業者に周知の手段によりカーディングされ、熱的に結合され、例えば、名称Ｐ−８の下でマサチューセッツ州ウォルポールのインターナショナル・ペーパー・カンパニーの部門のベラテック（Ｖｅｒａｔｅｃ），Ｉｎｃ．により製造されるようなステープル長のポリプロピレン繊維で作られる。
トップシートは本質的に、吸収性コアの表面のほとんどまたはすべてにわたって接着され得るものであるかまたは、それは、そこにほんの部分的に結合され得る。トップシートは、尿または便のような滲出物のトップシートの貫通を容易にする開孔を含み得る。トップシートは更に、完全にかまたは部分的に伸縮性を持たせられ得る。
本発明による吸収製品の一般的な側面を記載した後、本発明による着用者に対する固定手段の具体的な特徴が記載される。
まず、製品またはシステムは機械的なタイプの１次ファスナーシステムを必要とする、すなわち、製品と着用者の皮膚とのあいだの摩擦力を利用することにより、製品と着用者の外側の被服および／または寝具のような外側の要素とのあいだの重力および／または摩擦力、または着用者の腰骨のような身体の輪郭に対する位置の決定のような構造的支持力を克服することを本質的に目的とする。
吸収製品は代わりに、接着剤がコートされたテープまたは機械的な係合要素を具備し得る一体的テープシステムによるような着用者の腰部のまわりに製品を固定する通常の閉鎖システムにより適所に保持され得る。
それで、吸収製品は、テープタブファスナーデバイスと着地部材を具備する閉鎖システムを備える。テープタブファスナーデバイスは接着領域および機能領域を含み、着地部材は好ましくは補強ストリップであり、または代わりにバックシートの一部である。機能的要素は、接着剤ファスナー要素、機械的ファスナー要素、接着剤ファスナー要素と機械的ファスナー要素との組み合わせ、当業者に公知であるいずれか他の手段のような多数の形状を取り得る。同様のアプローチは、ＥＰ−Ａ−０，４０９，３０７（ジプソン（Ｇｉｐｓｏｎ）ら）において記載される接着性ベルトのような一体的でない要素を用いる。
着用者の腰部を取り囲む閉鎖系についてのそれらの後者２つの要素については、製品は好ましくは更に、使用のあいだに製品の適合を高め、持続させるようなそれらの閉鎖形態と有効に接続された伸縮性の形態を含む。
時に「パンツスタイルおむつ」と称される吸収製品は、言及された弾力性パンツとしての固定を可能とする伸縮性の形態および、また、伸縮性の領域を含むパンティのような吸収性コアとともにパンツスタイルのデザインを有する一体的製品であり、さらに、ＥＰ−Ａ−０，６４１，５５２またはＵＳ−Ａ−５，２４６，４３３において記載されている。
本発明の更なる態様は、吸収性コアおよび着用者の通常の下着の代わりにまたはそれに加えてのいずれかで用いられ得るネットパンツまたはストレッチパンツのような分離した固定手段を含む一体的でない製品に関する。
代わりに、上記の様な吸収製品は、いわゆる「パンティライナー」のような軽量の女性用衛生製品としてしばしば適用されるような使用者の通常の下着にそれを接着するための手段を単純に有し得るものであり、固定手段３０により図１ｃにおいて示される。
これまで記載された固定手段は独特の固定手段であるようにデザインされているけれども、それらはしばしば、身体と吸収部材とのあいだの良好な接触を維持する第１の機能のあいだの妥協であり、製品の重量を保持する。例えば、特に失禁成人に対して用いられるとき、立っている着用者のために、固定手段は重い製品の重量を保持しなければならないことは明らかである。
従って、その様な製品の漏れの無い機能はこの場合、例えば、脚部（「レッグカフス」）または腰部（「ウエストバンド」）のまわりに適用される伸縮性の形態のような密封手段にかなりの程度まで依存する。
従って、本発明の第１の側面は、背景の項目において記載された女性用衛生製品のための独特の固定手段のような局所的接着剤アタッチメントタイプの２次ファスナー手段とその様な１次機械的ファスナー手段を組み合わせることである。
特に適切な接着剤は、ＥＰ出願９６１２０７３８．８において記載され、その粘性弾力性特性、すなわち、ともに３７℃（華氏１００°）の温度でのＧ’37と略称されるその弾性率およびその粘性弾性率Ｇ’’37を特徴とし得る。好ましい接着剤は、１００ｒａｄ／ｓｅｃの周期数（ｆｒｅｑｕｅｎｃｙ）で測定されたＧ’37と１ｒａｄ／ｓｅｃの周期数でのＧ’37のＧ’37が１ｒａｄ／ｓｅｃでのＧ’37の１５０％より大きくなく、好ましくは８０％より大きくなく、または好ましくは１００００Ｐａ未満である差異であるような動的弾性的挙動を有する。好ましい接着剤は更に、１００ｒａｄ／ｓｅｃの周期数でのＧ’’37と１ｒａｄ／ｓｅｃの周期数でのＧ’’37のＧ’’37の差異−Ｇ’’37が１００００Ｐａより大きくないような動的粘性挙動を有する。
上記レオロジー的基準は、例えば、組成物が２０℃で液体である５１％から９９．５重量％の可塑化化合物または組成物、可塑化化合物または組成物中で溶解性または膨潤性である０．５から２０％、好ましくは５％から１５重量％のポリマー性化合物または組成物およびポリマー性化合物の０％から６００重量％の範囲内の量の粘着化樹脂を含む接着剤組成物により満足する。可塑化化合物または組成物は、好ましくは、水、アルコール、好ましくはグリセロール、グリコール、ポリグリコール、液体ポリブテン、油またはそれらの組み合わせからなる群より選択され、一方、ポリマー性化合物または組成物は好ましくは、ブロックコポリマー熱可塑性エラストマー、スチレンブロックコポリマーおよび水素化されたスチレンブロックコポリマーからなる群より選択される。
全く一般的に、好ましい身体接着剤は、好ましくは６０重量％、より好ましくは８０重量％の疎水性成分からなる少なくとも部分的に疎水性の接着剤であり、最も好ましくは、接着剤の材料には親水性のものが無い、すなわち、全部が疎水性成分で作られている。
本発明によれば、着用者に対して負荷された製品を支持するために必要とされる力は２つの要素のあいだで分割され、それにより個々のシステムのそれぞれの利益を利用することが可能となる。
この側面については、バランスを取られる３つの重要なデザインの側面が存在する。
まず第１に、１次固定手段の強度と力の分散の側面。１次手段が吸収部材を強く保持するほど、赤い斑点または皮膚の刺激のリスクが強くなる。このことは、比較的大きな最終貯蔵能力を有する製品について特に関係があるようになる。
第２には、皮膚に対する身体接着剤の粘着強度である。もし、負荷された吸収部材を支持するのに必要とされるであろう様なこの強度があまりに強いならば、皮膚の刺激が起こり得る。
第３は、身体接着剤の表面積、形態および配置である。もし身体接着剤が製品の選択された表面区画上にフィルムを形成するように適用されるならば、それは、液体貫通のために必要とされない全製品の有用な表面により、また身体の解剖学的形状により規定されるようなある種の限界までしか増加され得ない。
これは、身体の折り目（ｂｏｄｙ  ｃｒｅａｓｅｓ  ａｎｄ  ｆｏｌｄｓ）にあまりに多くの材料を設計しない様に、またあまりに多くの身体の毛に接触する接着剤領域を配置しない様に、身体接着剤領域の配置および形態に直接結びついている。その様な適用について例示されている領域は図２において描かれ、それにより、製品の角は着用者の身体に固着されるように意図される。
更なる態様において、身体接着剤は、過剰な弾力なしにバリヤカフスと身体との間の可能な間隙を有効に密封するようにバリヤカフスの身体側カフス末端に与えられる。
本発明のさらにもう１つの実施形態において、身体接着剤は、それが、いわゆる着用者の「動きの少ないゾーン」において使用の間に存在するように配置され、それにより使用のあいだでさえ適合の維持を可能とする。例えば、吸収性コアは、着用者の腹部の折れ目の下またはそこで適合するようにアーチ型の窪んだ形態を有する前方腰部エッジを備え得る。それにより、吸収性コアは、着用者についての快適さを最大化する動きの少ないゾーンに自然に適合するように前方腰部エッジのカーブは着用者の腹部の窪みのカーブに近い。吸収性コアはまた、着用者の脚部の窪みに適合し、着用者の脚部の間に適合する狭いクロッチ幅を規定するように設計されたアーチ型に窪んだサイドエッジをも備え得る。それらの脚部のカットアウトは、吸収性コアの前方部分が、腹部の窪みの下に適合し、吸収性コアが臀部にわたり、且つ背中の贅肉の曲線に、より優れて適合することを可能とするように長さとして短くなるように横中心線よりも更に吸収性コアに向かって配置される。それらのゾーンは、乳児について例示されていて、ＰＣＴ公開ＷＯ９４／２８８４２（ラボン（ＬａＶｏｎ）ら）においてより詳細に記載されている。
更なる実施形態において、接着剤は、のりのプリントにより、またはストライプもしくは他の規則的なパターンにより、ドットパターン、螺旋パターンまたは不規則な繊維のパターンで表面の全体または表面の部分に接着剤をスプレーすることにより達成され得るような特定のパターンで適用され得る。
接着剤は下にある要素に堅く固定され結合されている製品の部分に適用され得る、例えば、接着剤が適用されているトップシートは、下にあるコアまたはバックシートに結合され得る。代わりに、接着剤が適用されている要素は、例えば、身体接着剤が適用されているトップシートが少なくとも製品のある区画についてそこから離れうるように他の要素に厚さ方向で接続されない。それで、前記トップシートにおける開口がいまだ肛門の開口のような身体の開口についての位置の決定において身体接着剤により保たれることに言及される一方で、ボイド空間が便の取り扱いを容易にするように作り出されうるであろう。
本発明の第２の側面において、２次アタッチメント手段は製品の着用を容易にする。
身体接着剤要素を有さない現在の吸収製品または吸収部材は、特に、一人の看護婦または介護者が、移動に困難を有し、起立位置においてそうであり、ベッドに寝ているときそうである老人に対して働く成人失禁製品を考えるとき着用するのが困難である。従って、現在のところ、吸収製品または吸収部材の適合は極めて貧弱でありうるし、しばしば現実に貧弱である。
第２の重要な側面において、本発明は、製品の顕著に容易にされた適用を提供する。このことは、使用者自身が製品を着用する状況について、または乳幼児のおむつの場合においては親、または身体の不自由でハンディキャップを負った老人の場合には介護者のようなもう一人のひとのときの両方に当てはまる。
これらの場合において、本発明は、製品を引裂くかまたは引き上げるかまたは製品のさまざまの部分を互いに粘着させる必要なしに吸収部材をまず適用することを可能とするがしかし、むしろ着用者に対して容易で、また容易に修正可能な着用を可能とする。
このことは、皮膚に過剰な力を伝えず、製品の除去の際に着用者の皮膚を過剰に拘束しないような比較的小さな接着力により達成されうる。
アンダーパンツ／ネットパンツの形態またはファスナーテープの形態における１次固定手段はこの時、すでに固定された吸収部材上にそれを引きあげることにより容易に適用されうる。
本発明の更なる側面は、吸収部材の使い捨て性に関する。これは一般的に、ファスナーテープシステムの固定手段を含む（およびそれにより特に接着剤テープを含むとき）吸収製品については関係ないけれども、成人の失禁の分野において広く用いられているような挿入パッドはしばしば、使用後に互いに吸収部材を保持するいかなる手段も有さない。その様な部材については、２次接着剤アタッチメント手段は、巻き上げられた吸収部材について有用かつ容易に入手しうる閉鎖手段を提供する。
上記で概説されたように、特に適切な身体接着剤は、皮膚の親和性に対する接着のバランスに見合わなければならない。
特に適切な接着剤は、以下のように調製された、すなわち、本発明において有用な油系組成物は、９．９重量％のクレイトン（Ｋｒａｔｏｎ）Ｇ−１６５１、すなわちシェルＣｏから入手可能な３３重量％のスチレンを含むスチレン／エチレン−ブチレン／スチレンブロックコポリマー、および５９．３重量％のウィトコ（Ｗｉｔｃｏ）Ｃｏから入手可能なパラフィン性鉱油ケイドール（Ｋａｙｄｏｌ）を用いてコンパウンド化された。
更に、組成物は、１００部のクレイトンポリマー当り３０１部の粘着化樹脂を含んだ。粘着化樹脂は、エクソンＣｏ．から入手可能な水素化樹脂エスコレス（Ｅｓｃｏｒｅｚ）５３００であった。
カルロ・エルバ（Ｃａｌｒｏ  Ｅｒｂａ）Ｓ．ｐ．Ａ．から入手可能なステアリン酸マグネシウムが、０．７重量％のレベルで油のための共ゲル化剤として用いられた。
チバガイギーから入手可能な抗酸化剤イルガノックス（Ｉｒｇａｎｏｘ）１０１０が、０．３重量％のレベルで加えられた。
それで最終的には、製剤は以下のパーセント組成を有した。すなわち、
クレイトンＧ−１６５１    ９．９重量％
ケイドール                ５９．３重量％
エスコレス５３００        ２９．８重量％
ステアリン酸マグネシウム  ０．７重量％
イルガノックス１０１０    ０．３重量％
その組成物は３７℃で以下のレオロジー特性を示した。
ａ）１ｒａｄ／ｓでの弾性率、Ｇ’37＝６８７６Ｐａ
ｂ）−１ｒａｄ／ｓでの弾性率と粘性弾性率との間の比、Ｇ’37／Ｇ’’37＝１２．４９
−１００ｒａｄ／ｓでの弾性率と粘性弾性率との間の比、Ｇ’37／Ｇ’’37＝７．０１
ｃ）１ｒａｄ／ｓでのＧ’37に対する１００ｒａｄ／ｓでのＧ’37の比は１．３０８であった。
もちろん、その様な機能については、のりの接着特性のみならず、どこにのりが付けられるか、およびまた、どのようにのりが付けられるかのような製品に対するのりの適用も関係がある。この側面の中では、どのように製品がどの身体部分を覆うかのような製品の形態および大きさが関係がある。
１つの重要な側面は、身体接着剤により覆われる製品の面積である。全体として、表面積の半分未満が覆われるべきであり、好ましい実施形態においては１％ないし４０％であり、さらにより好ましい実施形態においては、２％ないし３３％である。
身体接着剤はそれらが粘着すると思われていない物体に対してもまた粘着する傾向を有しているので、それらは、それらが使用の際に容易に除去されうる製品の他の部分によるようにして、または、接着剤が製品のバックシートに適用され、リリースペーパーで覆われる女性の衛生の分野において広く用いられているような使用の前に除去され可能的に使い捨てられうる特別な被覆手段によるようにして、使用者に対して製造と輸送のあいだ覆われるべきである。
本発明による製品の特に優れた実施形態は、さまざまのスカンジナビア諸国にわたってプロクター＆ギャンブルにより「ダイシー・デオ・マキシ・スーパー（ＤＡＩＳＹ  ＤＥＯ  ＭＡＸＩ  ＳＵＰＥＲ）」の商品名の下で販売されている商業的に入手可能な重度成人失禁製品を変形することにより製造された。その製品は、パッド当り約６６７ｍｌの最終貯蔵能力を有する。その様な製品は、また商品名ダイシー・パンツ（ＤＡＩＳＹ  ＰＡＮＴ）の下でさまざまのスカンジナビア諸国でプロクター＆ギャンブルにより販売されているような外的１次的固定手段としてのネットパンツと組み合わせで着用されるように設計されている。
この製品は図２において示されるような配置で１０００ｇｓｍないし１３５０ｇｓｍの坪量で例１において記載されているように接着剤を適用することにより変形され、それにより図１における管状配列２２、２３を形成するために通常の接着剤を部分的に置換する。それにより、接着剤は折りたたまれたエッジフラップにより覆われ、従って、リリースペーパーによる様な接着剤の付加的な被覆を必要とすることなく製品の着用の前に容易な輸送と操縦を可能とする更なる便益を提供する。パッチは、図２においてコーナー２８について示されているように製品のコーナー２５から２８に位置する２ｃｍの幅および６ｃｍの長さを有する接着剤のストライプで作られた。それで、折り畳み線２１０に沿って内側に折りたたまれている横方向エッジ１８は、エッジにわたるカット２２０により製品の末端領域において外側に折りたたまれている。
内側に折りたたまれたままである部分は恒久的に領域２４０に付着しており、一方、外側に折りたたまれた部分は、身体接着剤パッチ２３０上に再び折りたたまれる。
従って、身体接着剤により覆われる全面積は、約４８ｃｍ2すなわち全表面の約４％である。
理論により拘束されることを望まないが、それらの両方が製品の重量のある程度の支持を提供するがしかし、１次固定手段が使用のあいだに製品を剥がし去る傾向を減少させる強制要素を有し、従って、剪断力が優先することを許容するとき、本発明の特徴を具備する吸収製品は１次および２次固定手段の便益を共同して利用すると思われる。同時に、それらの剪断力は、着用者の（小さな）動き（でさえ）特に重力との組み合わせで適合の低下を招く影響を最小化し、それはしばしば一般的に「サッギング」と称されることとなる。例えば、弾力性パンツは着用者の皮膚に対する身体接着剤の接着を支持するのに十分な圧力を提供するが、しかしながら、製品を正確に適所に維持するような全圧力を提供する必要はない。
もちろん、例えば、使用時に引き下げる力が剪断力または引張り力としてであり、剥離力としてでなく接着剤と着用者の皮膚との間の結合に対して作用するように接着剤をデザインするような、記載された吸収製品のデザインを特に強力にする要素が存在する。さらに、皮膚と接着剤との間に伝わる力は、接着剤が適用される領域において互いに結合する製品のすべての層を有することによるようにして製品の残りに更に伝わりうる。
別のデザインにおいては、身体接着剤は、製品のある種の要素に適用され得、それは次いで、下にある要素に堅く結合され得ないであろう。このことは、好ましくは、トップシートが下にある構造に付着せず、その中の開口を通るようにそれを通る便の貫通を可能とするように設計されている製品の特定の領域において製品のトップシートに身体接着剤のスプレーによる適用を注目することにより発明を限定しない方式で例示されうる。次いで、身体接着剤は皮膚とトップシートの接触を高めうるものであり、それにより着用者の皮膚から便を分離するための手段としてよりよく機能する。
製品についての別のデザインにおいて、身体接着剤は、ある領域において上記完全被覆である他の形態で適用されうる。例えば、接着剤は、ストライプまたはビーズ、螺旋形態でのスプレーにより、または液滴で適用されうる。
本発明による１次および２次固定手段の組合わせによる使用のあいだの製品のより良い持続する適合および性能の便益に加えて、吸収性コアが特別なネットパンツまたは着用者の通常の下着のような非一体的な要素により着用者に対して適所に保持されるとき、特に優れた便益が着用者に対する製品の適用についてもまた現れる。
もし製品が着用者自身により着用されるならば、吸収性コアを含む要素は、着用者に対して適切な位置に置く前にパンツに与えられるかまたは、特に大きなサイズの製品については、製品が一方の手で適所に保持され、パンツは他方の手で配置され、それはしばしば貧弱な快適さおよび／または性能となる極めて貧弱な適合となるかのいずれかである。本発明は今度は身体に対して適切な位置で吸収性コアを具備する要素を適用することを可能とし、それは身体接着剤により適所に保持され、したがってパンツを使うのに両方の手を用いることを可能とし、それによりより簡単でより正確な配置を可能とする。
また、製品が、乳幼児の場合には親、成人失禁製品の場合には介護者のような着用者とは異なる人により与えられるとき、身体接着剤は、パンツの着用の前に正確な固定を可能とすることにより顕著に容易な適用を可能とする。また、製品はまず一方の末端で正確に配置され得、次いで、着用者は他の身体部分（例えば背中）の容易な接近を可能にするように回転するかまたは動きうるものであり、製品の残りが付着されうる。
また、テープ閉鎖システムを具備するおむつのような一体的製品の場合において、身体接着剤は正確な配置を可能とし、続いて、（しばしば乳幼児の場合であるような）着用者が動くとき、または（成人についての場合であるような）着用者が動くのに困難であるかまたは重いときでさえ、閉鎖システムの容易な作動が可能である。
更に、本発明は、それ自体についてそれぞれ、純粋な機械的固着または純粋な接着剤による固着よりも皮膚についてより少ない機械的圧迫を与えるので着用者の皮膚の穏やかな処置についての特別の要求を有する状況について特別の便益を提供すると思われる。このことは、老人の皮膚および／または吸収製品が恒久的に着用される場合について特に真実である。
【図１ａ】
0003860223.tif 000002
【図１ｂ】
0003860223.tif 000003
【図１ｃ】
0003860223.tif 000004
【図２】
0003860223.tif 000005